(57)【要約】      （修正有）【課題】電池パック内に配置されている複数の電池セルの出力端子を簡易な方法で電気的に接続する端子金具及び端子金具支持部材を提供する。【解決手段】端子金具３００は、第１の出力端子および第２の出力端子と端子金具支持部材との間に挟持される。端子金具は、端子金具支持部材に装着される固定部と、第１の出力端子５０と電気的に接続される第１の電池側当接部３２１と、第２の出力端子５０と電気的に接続される第２の電池側当接部３２２と、端子金具支持部材の第１の当接部位に当接される第１の部材側当接部と、端子金具支持部材の第２の当接部位に当接される第２の部材側当接部と、第１の出力端子と端子金具支持部材とを最短で結ぶ直線に対して傾斜している第１連結部材と、直線に対して傾斜している第２連結部材と、直線に対して傾斜している第３連結部材と、第２の電池側当接部と固定部とを連結し、直線に対して傾斜している第４連結部材と、を備える。【選択図】図１
2015026506.tif 000002
【特許請求の範囲】
【請求項１】
第１の出力端子および第２の出力端子と端子金具支持部材との間に挟持される端子金具であって、
前記端子金具支持部材に装着される固定部と、
前記第１の出力端子と電気的に接続される第１の電池側当接部と、
前記第２の出力端子と電気的に接続される第２の電池側当接部と、
前記端子金具支持部材の第１の当接部位に当接される第１の部材側当接部と、
前記端子金具支持部材の第２の当接部位に当接される第２の部材側当接部と、
前記第１の電池側当接部と前記第１の部材側当接部とを連結し、前記第１の出力端子と前記端子金具支持部材とを最短で結ぶ直線に対して傾斜している第１連結部材と、
前記第２の電池側当接部と前記第２の部材側当接部とを連結し、前記直線に対して傾斜している第２連結部材と、
前記第１の電池側当接部と前記固定部とを連結し、前記直線に対して傾斜している第３連結部材と、
前記第２の電池側当接部と前記固定部とを連結し、前記直線に対して傾斜している第４連結部材と、
を備える端子金具。
【請求項２】
請求項１記載の端子金具であって、
前記第１の電池側当接部と前記第２の電池側当接部は、前記固定部に対して傾斜して構成され、
前記傾斜は、前記端子金具が前記第１の出力端子および前記第２の出力端子と前記端子金具支持部材との間に挟持されると小さくなる端子金具。
【請求項３】
第１の出力端子および第２の出力端子との間に端子金具を挟持する端子金具支持部材であって、
前記端子金具は、請求項１又は２に記載の端子金具であり、
前記端子金具支持部材は、
前記端子金具が有する貫通孔への挿入時において弾性変形して径が小さくなり、前記貫通孔への挿入後においてスプリングバックによって径が大きくなる先端部と、
前記先端部を挟む位置に配置されている一対の凸部と、
を備え、
前記凸部は、前記端子金具支持部材に装着されている前記端子金具を、前記先端部側に拘束する端子金具支持部材。
【発明の詳細な説明】
【技術分野】
【０００１】
本発明は、複数の電池セルの出力端子を電気的に接続する電池パック用の端子金具、および端子金具支持部材に関する。
【背景技術】
【０００２】
電池パックでは、充放電時において筐体内の積層された複数の電池セルが積層方向に膨張して、その相対的な位置関係が変動する場合がある。このような位置関係の変動は、複数の電池セルに跨がって電気的に接続する端子金具や出力端子に応力を発生させる。この応力は、端子金具等の疲労破壊の原因となる。さらに、このような問題は、膨張に起因する電池セルの移動に限られず、製造誤差等によっても生じていた。
【先行技術文献】
【特許文献】
【０００３】
【特許文献１】特開２０１１−１７１１９２号公報
【特許文献２】特開２０１２−２４３６８９号公報
【特許文献３】特開２００７−７３２６６号公報
【発明の概要】
【発明が解決しようとする課題】
【０００４】
複数の電池セルでは、一般に冷間圧接、ねじ止め、半田付け、溶接やかしめといった方法によって出力端子に端子金具が固定されている。電池パックの技術分野においては、これらの方法による複数の電池セル側への固定が技術常識となっており、固定方法についての見直しその他の検討は十分にはなされていなかった。
【０００５】
本発明は、電池パック内に配置されている複数の電池セルの出力端子を簡易な方法で電気的に接続する端子金具および端子金具支持部材を提供することを目的とする。
【課題を解決するための手段】
【０００６】
本発明は、上述の課題の少なくとも一部を解決するためになされたものであり、電池パック用の端子金具を提供する。本端子金具は、第１の出力端子および第２の出力端子と端子金具支持部材との間に挟持される。本端子金具は、前記端子金具支持部材に装着される固定部と、前記第１の出力端子と電気的に接続される第１の電池側当接部と、前記第２の出力端子と電気的に接続される第２の電池側当接部と、前記端子金具支持部材の第１の当接部位に当接される第１の部材側当接部と、前記端子金具支持部材の第２の当接部位に当接される第２の部材側当接部と、前記第１の電池側当接部と前記第１の部材側当接部とを連結し、前記第１の出力端子と前記端子金具支持部材とを最短で結ぶ直線に対して傾斜している第１連結部材と、前記第２の電池側当接部と前記第２の部材側当接部とを連結し、前記直線に対して傾斜している第２連結部材と、前記第１の電池側当接部と前記固定部とを連結し、前記直線に対して傾斜している第３連結部材と、前記第２の電池側当接部と前記固定部とを連結し、前記直線に対して傾斜している第４連結部材と、
を備える。
【０００７】
本端子金具によれば、冷間圧接、ねじ止め、半田付け、溶接やかしめといった接続方法を使用することなく、端子金具を装着して出力端子に電気的に接続することができる。この結果、組み立て工数の削減や生産性の向上を実現し、分解や廃棄も容易とすることができる。さらに、端子金具と出力端子の接触形態が冷間圧接等の接続方法に制限されないので、広い接触面積を確保して接触抵抗の低減も可能である。加えて、出力端子を有する電池セルが相対的に移動しても端子金具が弾性変形して柔軟に対応することができるので、電池セルの相対的に移動に起因する抵抗値変化を抑制することができる。
【０００８】
上述の端子金具において、前記第１の電池側当接部と前記第２の電池側当接部は、前記固定部に対して傾斜して構成され、前記傾斜は、前記端子金具が前記第１の出力端子および前記第２の出力端子と前記端子金具支持部材との間に挟持されると小さくなるようにしてもよい。
【０００９】
こうすれば、比較的に薄い板金で構成され、低い剛性を有する端子金具を大変形させても、出力端子に平行に第１の電池側当接部と第２の電池側当接部と押しつけることができる。これにより、低い剛性を有する端子金具においても十分な当接荷重（初期荷重）を発生させることができるとともに、端子金具の低剛性によって電池セルの相対的な移動に対する追従性を向上させることができる。この結果、電池セルの相対的な移動に起因する抵抗値変化を顕著に抑制することができる。
【００１０】
本発明は、さらに、第１の出力端子および第２の出力端子との間に端子金具を挟持する端子金具支持部材を提供することができる。本端子金具支持部材において、前記端子金具は、上述の端子金具であり、前記端子金具支持部材は、前記端子金具が有する貫通孔への挿入時において弾性変形して径が小さくなり、前記貫通孔への挿入後においてスプリングバックによって径が大きくなる先端部と、前記先端部を挟む位置に配置されている一対の凸部と、を備える。前記凸部は、前記端子金具支持部材に装着されている前記端子金具を、前記先端部側に拘束する。
【発明の効果】
【００１１】
本発明によれば、電池パック内に配置されている複数の電池セルの出力端子を簡易な方法で電気的に接続する端子金具および端子金具支持部材を提供することを目的とする。
【図面の簡単な説明】
【００１２】
【図１】本発明の第１実施形態における端子金具３００の構成を示す説明図。
【図２】端子金具３００と端子金具支持部材９２の構成を示す説明図。
【図３】端子金具支持部材９２への端子金具３００の装着開始の状態を示す説明図。
【図４】端子金具支持部材９２への端子金具３００の装着後の状態を示す説明図。
【図５】端子金具３００の各電池側当接部３２１、３２２に出力端子５０の各端子５１が近づけられる様子を示す説明図。
【図６】端子金具３００による電気的接続が完了した状態を示す説明図。
【図７】本発明の第２実施形態における端子金具３００ａと端子金具支持部材９２ａの構成を示す説明図。
【図８】端子金具支持部材９２ａへの端子金具３００ａの装着開始の状態を示す説明図。
【図９】端子金具支持部材９２ａへの端子金具３００ａの装着後の状態を示す説明図。
【図１０】端子金具３００ａの各電池側当接部３２１ａ、３２２ａに出力端子５０の各端子５１が近づけられる様子を示す説明図。
【図１１】端子金具３００ａによる電気的接続が完了した状態を示す説明図。
【図１２】変形例における端子金具３００ｂの構成を示す説明図。
【発明を実施するための形態】
【００１３】
次に、本発明の各実施形態を以下の順序で説明する。なお、本発明の範囲は以下の説明において特に本発明を限定する旨の記載がない限り、これらの形態に限られるものではない。
Ａ．第１実施形態における端子金具と端子金具支持部材の構成：
Ｂ．第２実施形態における端子金具と端子金具支持部材の構成：
Ｃ．変形例：
【００１４】
Ａ．第１実施形態における端子金具と端子金具支持部材の構成：
図１は、本発明の第１実施形態における端子金具３００の構成を示す説明図である。図２は、端子金具３００と端子金具支持部材９２の構成を示す説明図である。端子金具３００は、導電性を有する金属部品である。端子金具３００は、固定部３１０と、第１の電池側当接部３２１と、第２の電池側当接部３２２と、第１の部材側当接部３５１と、第２の部材側当接部３５２と、第１連結部材３３１と、第２連結部材３３２と、第３連結部材３４１と、第４連結部材３４２と、計測用凸部３００ｐとを備える。
【００１５】
固定部３１０は、貫通孔３１０ｈを有する。貫通孔３１０ｈは、端子金具支持部材９２が有する一対の凸部２１０Ｌ、２１０Ｒを貫通させて、端子金具支持部材９２に対してスナップフィットで装着させることができる。固定部３１０の一端は、第３連結部材３４１を介して第１の電池側当接部３２１の一端に一体的に連結されている。第１の電池側当接部３２１の他端は、第１連結部材３３１を介して第１の部材側当接部３５１の一端に一体的に連結されている。
【００１６】
一方、固定部３１０の他端は、第４連結部材３４２を介して第２の電池側当接部３２２の一端に一体的に連結されている。第２の電池側当接部３２２の他端は、第２連結部材３３２を介して第２の部材側当接部３５２の一端に一体的に連結されている。
【００１７】
第１連結部材３３１および第２連結部材３３２は、出力端子５０と端子金具支持部材９２とを最短で結ぶ直線に対して傾斜している。これにより、出力端子５０と端子金具支持部材９２とが近づく際の端子金具３００の変形を円滑化している。
【００１８】
端子金具支持部材９２は、角型電池セル１０（図１参照）に対向する対向面２１５を有している。対向面２１５は、一対の凸部２１０Ｌ、２１０Ｒと、一対の凸部２１０Ｌ、２１０Ｒの両側に形成されている凸部９２ｐと、当接部位２１７、２１８とを有している。当接部位２１７は、端子金具支持部材９２への端子金具３００の装着において第１の部材側当接部３５１が当接する部位である。当接部位２１８は、端子金具支持部材９２への端子金具３００の装着において第２の部材側当接部３５２が当接する部位である。
【００１９】
一対の凸部２１０Ｌ、２１０Ｒは、相互に対称の形状を有している。凸部２１０Ｌは、先細の先端側斜面２１１Ｌと、先端側斜面２１１Ｌに連なる先端側半円筒面２１２Ｌと、先端側半円筒面２１２Ｌに連なり、根元に近づくほど細く形成されている根元側斜面２１３Ｌと、根元側斜面２１３Ｌから根元側に連なる根元側半円筒面２１４Ｌとを有している。一方、凸部２１０Ｒは、先端側斜面２１１Ｒと、先端側半円筒面２１２Ｒと、根元側斜面２１３Ｒと、根元側半円筒面２１４Ｒとを有している。一対の凸部２１０Ｌ、２１０Ｒは、深さＤの凹部の根元から突出しているので、根元側斜面２１３Ｌ、２１３Ｒは、角型電池セル１０の積層方向に弾性変形可能である。端子金具支持部材９２には、端子金具３００の計測用凸部３００ｐを挿入するための図示しない孔が形成されている。
【００２０】
図３乃至図６は、本発明の第１実施形態における端子金具３００が端子金具支持部材９２に装着される様子を示す説明図である。図３は、端子金具支持部材９２への端子金具３００の装着開始の状態を示している。先ず、端子金具３００の計測用凸部３００ｐを端子金具支持部材９２に挿入するための孔（図示せず）に、計測用凸部３００ｐを挿入する。これにより、端子金具支持部材９２と端子金具３００との間の位置関係が規定される。さらに、端子金具３００の固定部３１０に形成されている貫通孔３１０ｈに先端側斜面２１１Ｌ、２１１Ｒが挿入される。次に、先端側斜面２１１Ｌ、２１１Ｒと先端側半円筒面２１２Ｌ、２１２Ｒが貫通孔３１０ｈを通過する。この際に、一対の凸部２１０Ｌ、２１０Ｒは、弾性変形によって相互に近づくように変形して貫通孔３１０ｈの孔径よりも小さくなることができる。
【００２１】
図４は、端子金具支持部材９２への端子金具３００の装着後の状態を示している。端子金具３００の貫通孔３１０ｈの内面には、根元側斜面２１３Ｌ、２１３Ｒが接している。一対の凸部２１０Ｌ、２１０Ｒは、弾性変形によって相互に近づくように変形した状態なので、根元側斜面２１３Ｌ、２１３Ｒ（図２参照）が有する傾斜によって、端子金具３００が対向面２１５に対して押しつけられた状態となっている。このように、端子金具３００は、端子金具支持部材９２に対してスナップフィットによって装着されている。
【００２２】
図５は、端子金具３００の各電池側当接部３２１、３２２に出力端子５０の各端子５１が近づけられる様子を示す説明図である。この際、端子金具３００の第１の部材側当接部３５１は、当接部位２１７に当接する（図２参照）。端子金具３００の第２の部材側当接部３５２は、当接部位２１８に当接する。
【００２３】
図６は、端子金具３００の装着が完了した状態を示す説明図である。端子金具３００は、より端子金具支持部材９２側に近づけられ、第１の部材側当接部３５１、３５２が外側（矢印Ａの方向）に弾性変形する。この弾性変形は、端子金具３００が一対の凸部９２ｐに当接することによって止まる。この状態では、端子金具３００は、一対の凸部９２ｐと一対の当接部位２１７、２１８との当接によって出力端子５０に押しつけられ、電気的に接続されることになる。
【００２４】
このように、第１実施形態は、冷間圧接、ねじ止め、半田付け、溶接やかしめといった接続方法を使用することなく、端子金具３００を装着して出力端子５０に電気的に接続することができる。この結果、組み立て工数の削減や生産性の向上を実現し、分解や廃棄も容易とすることができる。さらに、端子金具３００と出力端子５０の接触形態が冷間圧接等の接続方法に制限されないので、広い接触面積を確保して接触抵抗の低減も可能である。加えて、出力端子を有する電池セルが相対的に移動しても端子金具が弾性変形して柔軟に対応することができるので、電池セルの相対的に移動に起因する抵抗値変化を抑制することができる。
【００２５】
Ｂ．第２実施形態における端子金具と端子金具支持部材の構成：
図７は、本発明の第２実施形態における端子金具３００ａと端子金具支持部材９２ａの構成を示す説明図である。端子金具３００ａは、固定部３１０ａと、第１の電池側当接部３２１ａと、第２の電池側当接部３２２ａと、第１の部材側当接部３５１ａと、第２の部材側当接部３５２ａと、第１連結部材３３１ａと、第２連結部材３３２ａと、第３連結部材３４１ａと、第４連結部材３４２ａと、計測用凸部３００ｐａとを備える。
【００２６】
固定部３１０ａは、貫通孔３１０ｈａを有する。貫通孔３１０ｈａは、端子金具支持部材９２ａが有する一対の凸部２１０Ｌ、２１０Ｒを貫通させて、端子金具支持部材９２ａに対して端子金具３００ａをスナップフィットで装着させることができる。固定部３１０ａの一端は、第３連結部材３４１ａを介して第１の電池側当接部３２１ａの一端に一体的に連結されている。第１の電池側当接部３２１ａの他端は、第１連結部材３３１ａを介して第１の部材側当接部３５１ａの一端に一体的に連結されている。
【００２７】
一方、固定部３１０ａの他端は、第４連結部材３４２ａを介して第２の電池側当接部３２２ａの一端に一体的に連結されている。第２の電池側当接部３２２ａの他端は、第２連結部材３３２ａを介して第２の部材側当接部３５２ａの一端に一体的に連結されている。
【００２８】
第１連結部材３３１ａおよび第２連結部材３３２ａは、屈曲して弾性変形しやすくするために、それぞれ屈曲部３６１、３６２を有している。屈曲部は、第３連結部材３４１ａや第４連結部材３４２ａにも設けるようにしても良い。あるいは、屈曲部は、第３連結部材３４１ａや第４連結部材３４２ａにのみ設けるようにしても良い。
【００２９】
第１の電池側当接部３２１ａ及び第２の電池側当接部３２２ａは、外側に行くほど固定部３１０ａから離れる方向（角型電池セル１０側）に傾斜している。この傾斜は、端子金具３００ａが大きく変形した状態において、第１連結部材３３１ａおよび第２連結部材３３２ａが出力端子５０の端子プレート５２に対して平行に当接するように設定されている。
【００３０】
端子金具支持部材９２ａは、角型電池セル１０に対向する対向面２１５ａを有している。対向面２１５ａは、一対の凸部２１０Ｌ、２１０Ｒと、一対の凸部２１０Ｌ、２１０Ｒの両側に形成されている凸部９２ｐａと、当接部位２１７ａ、２１８ａとを有している。凸部９２ｐａは、端子金具３００ａを円滑に導入するための傾斜面を端子金具３００ａの装着側に有さず、代わりに垂直面を有している。傾斜面が形成されていないのは、端子金具３００ａと凸部９２ｐａとの間のクリアランスＣは、第１実施形態よりも大きく設定されているからである。当接部位２１７ａは、端子金具支持部材９２ａへの端子金具３００ａの装着において第１の部材側当接部３５１ａが当接する部位である。当接部位２１８ａは、端子金具支持部材９２ａへの端子金具３００ａの装着において第２の部材側当接部３５２ａが当接する部位である。
【００３１】
凸部２１０Ｌ、２１０Ｒは、第１実施形態の凸部２１０Ｌ、２１０Ｒと同一の構成を有している。第２実施形態の凸部２１０Ｌ、２１０Ｒは、深さＤの凹部の根元から突出している第１実施形態と相違し、対向面２１５ａから突出しているので、角型電池セル１０の積層方向への弾性変形が小さくなる。端子金具支持部材９２ａには、端子金具３００ａの計測用凸部３００ｐａを挿入するための図示しない孔が形成されている。
【００３２】
図８乃至図１２は、本発明の第２実施形態における端子金具３００ａが端子金具支持部材９２ａに装着される様子を示す説明図である。図８は、端子金具支持部材９２ａへの端子金具３００ａの開始の状態を示している。先ず、端子金具３００ａの計測用凸部３００ｐａを端子金具支持部材９２ａに挿入するための孔（図示せず）に、計測用凸部３００ｐａを挿入する。これにより、端子金具支持部材９２ａと端子金具３００ａとの間の位置関係が規定される。さらに、端子金具３００ａの固定部３１０ａに形成されている貫通孔３１０ｈａに先端側斜面２１１Ｌ、２１１Ｒが挿入される。次に、先端側斜面２１１Ｌ、２１１Ｒと先端側半円筒面２１２Ｌ、２１２Ｒが貫通孔３１０ｈａを通過する。この際に、一対の凸部２１０Ｌ、２１０Ｒは、弾性変形によって相互に近づくように変形して貫通孔３１０ｈの孔径よりも小さくなることができる。
【００３３】
この際、端子金具３００ａと凸部９２ｐａとの間のクリアランスＣは、前述のように第１実施形態よりも大きく設定されている。これは、端子金具３００ａが大きく外側に弾性変形（あるいは弾塑性変形）するように設定されているからである。
【００３４】
図９は、端子金具支持部材９２ａへの端子金具３００ａの装着後の状態を示している。端子金具３００ａの貫通孔３１０ｈａの内面には、根元側斜面２１３Ｌ、２１３Ｒが接している。一方、第１の部材側当接部３５１ａおよび第２の部材側当接部３５２ａは、対向面２１５ａの当接部位２１７ａ、２１８ａに押しつけられた状態となる。端子金具３００ａは、第１の部材側当接部３５１ａおよび第２の部材側当接部３５２ａがそれぞれ当接部位２１７ａ、２１８ａに押しつけられた状態で装着されるような形状を有しているからである。このように、端子金具３００ａは、端子金具支持部材９２ａに対してスナップフィットによって装着されている。本実施形態では、３個の端子金具３００ａを端子金具支持部材９２ａに装着することができる。
【００３５】
図１０は、端子金具３００ａの電池側当接部３２１ａ、３２２ａに出力端子５０の各端子５１が近づけられる様子を示す説明図である。この際、端子金具３００ａの第１の部材側当接部３５１ａは、当接部位２１７ａに当接する。端子金具３００ａの第２の部材側当接部３５２ａは、当接部位２１８ａに当接する。端子金具支持部材９２ａは、複数の角型電池セル１０との間で規定された位置関係を維持しつつ筐体（図示せず）の側に押し込まれる。
【００３６】
図１１は、端子金具３００ａによる電気的接続が完了した状態を示す説明図である。端子金具３００ａは、より端子金具支持部材９２ａ側に近づけられ、第１の部材側当接部３５１ａ、３５２ａが外側（矢印Ａの方向）に大きく弾性変形（あるいは弾塑性変形）する。この弾性変形は、端子金具３００ａが一対の凸部９２ｐａに当接することによって止まる。この状態では、端子金具３００ａは、一対の凸部９２ｐａと一対の当接部位２１７ａ、２１８ａとの当接によって出力端子５０に押しつけられ、電気的に接続されることになる。
【００３７】
このように、第２実施形態は、第１実施形態と同様に、角型電池セル１０の相対的な移動に起因する抵抗値変化の抑制、生産性の向上、及び接触抵抗の低減の効果を奏する。第２実施形態は、さらに、比較的に薄い板金で構成され、低い剛性を有する端子金具３００ａを大変形させて、出力端子５０に押しつけている。これにより、端子金具３００ａの出力端子５０に対する当接荷重を第１実施形態と同様に発生させることができるとともに、端子金具３００ａの低剛性によって角型電池セル１０の相対的な移動に対する追従性を向上させることができる。この結果、角型電池セル１０の相対的な移動に起因する抵抗値変化を顕著に抑制することができる。
【００３８】
Ｃ．変形例：
上述の実施形態では、屈曲部３６１、３６２は、第２実施形態の第１連結部材３３１ａおよび第２連結部材３３２ａにのみ設けられ、第３連結部材３４１ａや第４連結部材３４２ａに設けることが示唆されている。しかし、図１２に示される変形例のように、第１の部材側当接部３５１ａや第２の部材側当接部３５２ａに設けてもよい。さらに、屈曲部は、単なる折り曲げ部分ではなく、さらに変形しやすくするために折り返し部３５１ｂ、３５２ｂとして形成しても良い。
【００３９】
上述の実施形態や実施例では、膨張に起因する電池セルの移動に拘わらず電気的特性が維持できる構成が開示されている、しかし、このような構成に限られず、製造誤差等によって生ずる問題を解決するために本発明を適用することもできる。
【００４０】
上述の実施形態や実施例では、巻型リチウムイオン電池セルである角型電池セルが使用されているが、巻型（ラミネートシート型）リチウムイオン電池セルを使用するようにしてもよい。本実施形態では、巻型電池セルは、相互に平行な平坦面を両側に有しているが、一方向（積層方向あるいは圧縮方向）に垂直な一対の平行面を有する電池セルであればよい。
【符号の説明】
【００４１】
１０  角型電池セル
９１  蓋部
９２  端子金具支持部材
３００，３００ａ，３００ｂ  端子金具
【図１】
2015026506.tif 000003
【図２】
2015026506.tif 000004
【図３】
2015026506.tif 000005
【図４】
2015026506.tif 000006
【図５】
2015026506.tif 000007
【図６】
2015026506.tif 000008
【図７】
2015026506.tif 000009
【図８】
2015026506.tif 000010
【図９】
2015026506.tif 000011
【図１０】
2015026506.tif 000012
【図１１】
2015026506.tif 000013
【図１２】
2015026506.tif 000014